(57)【要約】【課題】電子機器のバランスを良好とするとともに静電気が電子部品に流れるのを防ぐことができるスタンド型の電子機器を提供する。【解決手段】前側キャビネット２６と後側キャビネット２７とからなるキャビネット２８と、当該キャビネット２８内に設けられた主基板２５とを備える液晶テレビ本体２と、液晶テレビ本体２を支持するスタンド３と、を備える液晶テレビ１に、後側キャビネット２７の前側キャビネット２６側の面に取り付けられた金属製のスタンド保持部材２９と、スタンド３に備えられ、スタンド保持部材２９に固定される金属製のスタンド固定部３２と、スタンド保持部材２９とスタンド固定部３２とを固定する金属製のビスＢと、スタンド保持部材２９に備えられた板ばね２９Ｂと、板ばね２９Ｂに付勢される内側筐体２３とを備えた。【選択図】図２
0003108640.tif 000002
【実用新案登録請求の範囲】
【請求項１】
前側キャビネットと後側キャビネットとからなるキャビネットと前記キャビネット内に設けられた電子部品とを備える機器本体と、前記機器本体を支持するスタンドと、を備える電子機器において、
前記後側キャビネットの前記前側キャビネット側の面に取り付けられた金属製のスタンド保持部材と、
前記スタンドに備えられ、前記スタンド保持部材に固定される金属製のスタンド固定部と、
前記スタンド保持部材とスタンド固定部とを固定する金属製の固定部材と、
前記スタンド保持部材に設けられたバネ部材と、
前記機器本体に設けられ、前記バネ部材が弾性変形した状態で接する接地部材と、
前記スタンド保持部材に備えられ、前記スタンド固定部の固定位置の位置決めを行う位置決めストッパと、
を備えることを特徴とする電子機器。
【請求項２】
前側キャビネットと後側キャビネットとからなるキャビネットと前記キャビネット内に設けられた電子部品とを備える機器本体と、前記機器本体を支持するスタンドと、を備える電子機器において、
前記後側キャビネットの前記前側キャビネット側の面に取り付けられた金属製のスタンド保持部材と、
前記スタンドに備えられ、前記スタンド保持部材に固定される金属製のスタンド固定部と、
前記スタンド保持部材とスタンド固定部とを固定する金属製の固定部材と、
前記スタンド保持部材に接続されるアース部と、
を備えることを特徴とする電子機器。
【請求項３】
前記アース部は、
前記スタンド保持部材に設けられたバネ部材と、
前記機器本体に設けられ、前記バネ部材が弾性変形した状態で接する接地部材と、
を備えることを特徴とする請求項２記載の電子機器。
【請求項４】
前記スタンド保持部材に備えられ、前記スタンド固定部の固定位置の位置決めを行う位置決めストッパを備えることを特徴とする請求項２又は３に電子機器。
【考案の詳細な説明】
【技術分野】
【０００１】
本考案は、機器本体をスタンドにより支持する電子機器に関する。
【背景技術】
【０００２】
従来、電子機器である液晶テレビやプラズマディスプレイ等のスタンドは、液晶テレビの後側のキャビネットの後面に取り付けられている。しかし、液晶テレビ等の重心は、前方に偏っているので、スタンドが液晶テレビの後側に取り付けられていると、バランスが悪く前側に倒れやすくなってしまう。また、液晶テレビの後側のキャビネットの後面に取り付けられたスタンドを隠すカバー部材も必要となっていた。
【０００３】
そこで、例えば、プラズマディスプレイにおいては、従来、中空状のポール本体に補強シャフトを挿着して構成されたスタンドをテレビの重心により近い位置に取り付ける方法がなされている（例えば、特許文献１）。
【特許文献１】特開平２−００７９３０号公報
【考案の開示】
【考案が解決しようとする課題】
【０００４】
しかしながら、例えば、液晶テレビが大型になると、強度を確保するためスタンド部分に板金を用いることになり、スタンドを液晶テレビの重心位置により近づけて取り付けようとすると、当該板金と液晶パネルの後側に配置される基板とが近くなり、ビス等からの静電気が板金を伝わって基板に流れ、ショートが発生してしまう可能性が高くなる。
【０００５】
本考案の課題は、電子機器のバランスを良好とするとともに静電気が電子部品に流れるのを防ぐことができるスタンド型の電子機器を提供することである。
【課題を解決するための手段】
【０００６】
請求項１に記載の考案は、前側キャビネットと後側キャビネットとからなるキャビネットと前記キャビネット内に設けられた電子部品とを備える機器本体と、前記機器本体を支持するスタンドと、を備える電子機器において、前記後側キャビネットの前記前側キャビネット側の面に取り付けられた金属製のスタンド保持部材と、前記スタンドに備えられ、前記スタンド保持部材に固定される金属製のスタンド固定部と、前記スタンド保持部材とスタンド固定部とを固定する金属製の固定部材と、前記スタンド保持部材に設けられたバネ部材と、前記機器本体に設けられ、前記バネ部材が弾性変形した状態で接する接地部材と、前記スタンド保持部材に備えられ、前記スタンド固定部の固定位置の位置決めを行う位置決めストッパと、を備えることを特徴としている。
【０００７】
請求項２に記載の考案は、前側キャビネットと後側キャビネットとからなるキャビネットと、前記キャビネット内に設けられた電子部品とを備える機器本体と、前記機器本体を支持するスタンドと、を備える電子機器において、前記後側キャビネットの前記前側キャビネット側の面に取り付けられた金属製のスタンド保持部材と、前記スタンドに備えられ、前記スタンド保持部材に固定される金属製のスタンド固定部と、前記スタンド保持部材とスタンド固定部とを固定する金属製の固定部材と、前記スタンド保持部材に接続されるアース部と、を備えることを特徴としている。
【０００８】
請求項３に記載の考案は、請求項２記載の電子機器において、前記アース部は、前記スタンド保持部材に設けられたバネ部材と、前記機器本体に設けられ、前記バネ部材が弾性変形した状態で接する接地部材と、を備えることを特徴としている。
【０００９】
請求項４に記載の考案は、請求項２又は３記載の電子機器において、前記スタンド保持部材に備えられ、前記スタンド固定部の固定位置の位置決めを行う位置決めストッパを備えることを特徴としている。
【考案の効果】
【００１０】
請求項１に記載の考案によれば、後側キャビネットの前側キャビネット側の面に取り付けられた金属製のスタンド保持部材に金属製のスタンド固定部が金属製の固定部材により固定されるので、機器本体の前後方向の重心位置に近い部分でスタンドが固定されることとなって、電子機器の前後方向のバランスが良好になる。また、スタンド保持部材及びスタンド固定部は金属製であるので、機器本体とスタンドとの連結を強固なものにすることができる。また、スタンドが後側キャビネットの後側に取り付けずに済むので、スタンドを隠すカバー部材が不要となって、組み立て部材を少なくすることができる。
【００１１】
また、スタンド保持部材に設けられたバネ部材と、機器本体に設けられ、バネ部材が弾性変形した状態で接する接地部材と、を備えるので、スタンド保持部材に設けられたバネ部材から機器本体に設けられた接地部材へと好適に静電気を流すことができることとなって、電子機器内部の電子回路基板等の電子部品への悪影響を好適に回避することができる。
【００１２】
また、バネ部材が弾性変形した状態で接地部材に接するので、バネ部材を接地部材に固定する特定の固定手段がなくとも、バネ部材と接地部材とが確実に接することとなって、機器本体内に組み合わせの差が多少あっても、より簡単、且つ確実に、スタンド保持部材に設けられたバネ部材から機器本体に設けられた接地部材へと好適に静電気を流すことができる。
【００１３】
さらに、スタンド保持部材は、スタンド固定部の固定位置の位置決めを行う位置決めストッパを備えるので、スタンド固定部の固定位置を容易に位置決めできることとなって、機器本体へのスタンドの取り付けを容易にすることができる。
【００１４】
請求項２に記載の考案によれば、後側キャビネットの前側キャビネット側の面に取り付けられた金属製のスタンド保持部材に金属製のスタンド固定部が金属製の固定部材により固定されるので、機器本体の前後方向の重心位置に近い部分でスタンドが固定されることとなって、電子機器の前後方向のバランスが良好になる。また、スタンド保持部材及びスタンド固定部は金属製であるので、機器本体とスタンドとの連結を強固なものにすることができる。また、スタンドが後側キャビネットの後側に取り付けずに済むので、スタンドを隠すカバー部材が不要となって、組み立て部材を少なくすることができる。
【００１５】
また、スタンド保持部材に接続されるアース部により、固定部材からスタンド固定部及びスタンド保持部材を通って流れる静電気を電子機器の外部へ流すことができることとなって、電子機器内部の電子回路基板等の電子部品への悪影響を回避することができる。
【００１６】
請求項３に記載の考案によれば、アース部は、スタンド保持部材に設けられたバネ部材と、機器本体に設けられ、バネ部材が弾性変形した状態で接する接地部材と、を備えるので、スタンド保持部材に設けられたバネ部材から機器本体に設けられた接地部材へと好適に静電気を流すことができることとなって、電子機器内部の電子回路基板等の電子部品への悪影響を好適に回避することができる。
【００１７】
また、バネ部材が弾性変形した状態で接地部材に接するので、バネ部材を接地部材に固定する特定の固定手段がなくとも、バネ部材と接地部材とが確実に接することとなって、機器本体の組み合わせの差が多少あっても、より簡単、且つ確実に、スタンド保持部材に設けられたバネ部材から機器本体に設けられた接地部材へと好適に静電気を流すことができる。
【００１８】
請求項４に記載の考案によれば、スタンド保持部材は、スタンド固定部の固定位置の位置決めを行う位置決めストッパを備えるので、スタンド固定部の固定位置を容易に位置決
めできることとなって、機器本体へのスタンドの取り付けを容易にすることができる。
【考案を実施するための最良の形態】
【００１９】
以下、図を参照して本考案に係る電子機器を実施するための最良の形態を詳細に説明する。なお、本考案の実施形態では、電子機器として液晶テレビ１を例に挙げて説明する。
【００２０】
本実施形態にかかる液晶テレビ１（電子機器）は、例えば、液晶テレビ本体２（機器本体）とスタンド３等からなる。
【００２１】
図１は、液晶テレビ１を示す正面図であり、図２は、図１のＩＩ−ＩＩ断面図である。
＜液晶テレビ本体の構成＞
図２に示すように、液晶テレビ本体２は、液晶ディスプレイ２１と、その後方に設けられたバックライトユニット２２と、これらを内部に保持する内側筐体２３と、内側筐体２３に非導電性の取付部材２４により固定された主基板２５（電子部品）と、これらが内部に配置された前側キャビネット２６と後側キャビネット２７からなるキャビネット２８と、後側キャビネット２７に取り付けられるスタンド保持部材２９と、を備えている。
【００２２】
液晶ディスプレイ２１は、液晶を二枚の対向する透明絶縁性基板（例えば、ガラス板；図示省略）の間に狭持し、当該ガラス板に取り付けられた電極（図示省略）に電圧をかけ、液晶によって偏光された光を、偏光板（図示省略）に通すことによって光の透過・不透過を制御する液晶パネル２１Ｂと、液晶パネル２１Ｂと略同形であって、液晶パネル２１Ｂよりもやや広い面積を備えるフロントパネル２１Ａなどで構成される。従って、液晶パネル２１Ｂの全周において、フロントパネル２１Ａがやや延出することにより液晶ディスプレイ２１が構成される。
【００２３】
バックライトユニット２２は、液晶パネル２１Ｂに背面から光をあて、映像を視認させる光源のことで、例えば、Ｒ（赤）、Ｇ（緑）、Ｂ（青）のＬＥＤ（Light Emitting Diode）光源によって構成される。またその他に、蛍光管などの好適な光源を用いることもでき、外部の光を反射することにより光源として機能する反射板などを用いてもよい。バックライトユニット２２は液晶パネル２１Ｂの平面形状と略同一の平面形状からなる。
【００２４】
内側筐体２３は、液晶パネル２１Ｂの平面形状と略同形状の開口部２３Ａを備える箱状体である。そして、フロントパネル２１Ａを内側筐体２３の外面２３Ｂに当接するようにあてがって、液晶パネル２１Ｂを開口部２３Ａに嵌め込むことによって液晶ディスプレイ２１が内側筐体２３に配置される。内側筐体２３に設けられた液晶ディスプレイ２１よりも更に内側にバックライトユニット２２が取り付けられる。
【００２５】
内側筐体２３は、例えば、金属材料によって形成され、金属材料としては、ステンレスなどの鉄系、アルミニウム系、銅系など、一般的に用いられる金属を適宜用いることができる。
【００２６】
また、内側筐体２３は、後述するスタンド保持部材２９の板ばね２９Ｂと当接するようになっており、接地部材として機能する。
【００２７】
主基板２５は、所謂マザーボードと呼ばれる基板であって、例えば、厚さ約１．６ｍｍの矩形状の絶縁板（ベークライト、エポキシ樹脂など電気を通さない材料）の片面に銅箔で配線を張り付けた片面基板構造からなり、この主基板２５に、例えば、ＣＰＵ（図示省略）を取り付けるためのＣＰＵソケット（図示省略）や、主基板２５と、主基板２５の周辺に位置する電子機器とを接続するためのコネクタとしてのメスコネクタ（図示省略）などが設けられる。
【００２８】
主基板２５は、内側筐体２３に、内側筐体２３と所定の間隔を空けて取り付けられる。具体的には、内側筐体２３の後面部の外面２３Ｂに、非導電性の取付部材２４等を用いて
取り付けられる。
【００２９】
前側キャビネット２６は、液晶パネル２１Ｂの平面形状と略同形状の開口部を備える枠体であって当該枠体の縁部は後側キャビネット２７側に折曲して延出している。そして、前側キャビネット２６の後側キャビネット２７側に延出した縁部は、後側キャビネット２７の縁部と係合するための被係合部を備えている。
【００３０】
後側キャビネット２７は、凹型の箱状体であって、当該後側キャビネット２７の縁部は、前側キャビネット２６の縁部の被係合部と係合するための係合部を備えている。そして、前側キャビネット２６の縁部の被係合部に後側キャビネット２７の縁部の係合部を係合することにより、キャビネット２８が形成される。
【００３１】
また、後側キャビネット２７の下方の縁部の略中央部分には、スタンド固定部３２を挿入可能な挿入孔部２７Ａが形成されている。
【００３２】
また、図２に示すように、後側キャビネット２７は、当該後側キャビネット２７の下端部中央部分が前側に張り出している張り出し部２７Ｂを備え、当該張り出し部２７Ｂの前側キャビネット２６側の面にスタンド保持部材２９が取り付けられるようになっている。より具体的には、例えば、張り出し部２７Ｂのスタンド保持部材２９が取り付けられる面にはねじ等が挿通するねじ穴部（図示省略）があり、スタンド保持部材２９は、ねじ止めにより後側キャビネット２７へ取り付けられる。
【００３３】
また、張り出し部２７Ｂには、後述する、スタンド保持部材２９の孔部２９Ａ及びスタンド固定部３２の貫通穴部３２Ａに相当する位置にビスＢを挿通するための孔部２７Ｃが備えられている。
【００３４】
スタンド保持部材２９は、図２に示すように、後側キャビネット２７の張り出し部２７Ｂの前側キャビネット２６側の面にねじ止めにより取り付けられ、金属製の固定部材としてのビスＢによりスタンド３及び後側キャビネット２７と固定される。スタンド保持部材２９の正面図を図３（ａ）に、ｂ−ｂ断面図を図３（ｂ）に示す。
【００３５】
図３に示すように、スタンド保持部材２９は、金属材料からなる略矩形の平板であって、当該スタンド保持部材２９の四隅にスタンド固定部３２にビス止めされるための孔部２９Ａと、当該スタンド保持部材２９の内側筐体２３側、即ち前側、に取り付けられた板ばね２９Ｂ（バネ部材）と、スタンド保持部材２９の下端のスタンド固定部３２の凹部と接する部分が後側に折り返されて形成されたストッパ２９Ｃ（位置決めストッパ）と、後側キャビネット２７にねじ止めされるためのねじ等が挿通するねじ穴部２９Ｄ等を備えている。
【００３６】
また、図２に示すように、スタンド保持部材２９は、後側キャビネット２７の前側キャビネット２６側であって、液晶テレビ１の奥行き方向の略中央に取り付けられるので、液晶テレビ本体２の重心により近い位置に配置されるようになっている。
【００３７】
板ばね２９Ｂは、図３に示すように、折曲された金属性の平板からなり、スタンド保持部材２９が後側キャビネット２７の前側キャビネット２６側に取り付けられる際、図２に示すように、スタンド保持部材２９に近づく方向に弾性変形した状態で内側筐体２３に接するようになっている。従って、板ばね２９Ｂの付勢力により内側筐体２３と板ばね２９Ｂとが確実に接するようになっている。
＜スタンドの構成＞
図２に示すように、スタンド３は、ベース３１と、スタンド保持部材２９と固定されるスタンド固定部３２と、当該スタンド固定部３２の根元部において当該スタンド固定部３２をベース３１に対して回動可能に連結するヒンジ部３３等を備えて構成される。
【００３８】
ベース３１は、例えば、中空状の箱体であって、安定の良い形であればどのような形であっても良く、図２，図４に示すように、当該ベース３１の上側略中央部には、スタンド固定部３２を挿通する挿通孔３１Ａが形成されている。
【００３９】
スタンド固定部３２は、図２に示すように、スタンド保持部材２９の位置、即ち、液晶テレビ本体２の重心位置に近い部分に固定される。そして、スタンド保持部材２９と液晶テレビ本体２の主基板２５とは非常に近い位置に配置されているため、結果として、スタンド固定部３２は、主基板２５と非常に近い位置に配置されることとなる。
【００４０】
また、スタンド固定部３２は、図２，図４に示すように、略凹字形の形状の金属製の板金から形成され、補強のために、幅方向の縁部が後側にＬ字状に折曲している。また、スタンド固定部３２は、スタンド保持部材２９とビス止めされるための貫通穴部３２Ａを備えている。また、スタンド固定部３２は、ヒンジ部３３によりベース３１と回動可能に連結されているので、スタンド固定部３２がベース３１に対する傾きを変えることができることとなって、これにより、スタンド３と連結された液晶テレビ本体２の傾きを変えることができる。
＜液晶テレビ本体とスタンドの取り付け構造＞
次に、上述のような構成の液晶テレビ１における液晶テレビ本体２とスタンド３の取り付け構造について説明する。  図２，図４に示すように、スタンド固定部３２を後側キャビネット２７の下方の挿入孔部２７Ａから挿入させ、スタンド固定部３２の凹部とスタンド保持部材２９のストッパ２９Ｃとを当接することにより、スタンド３の位置決めを行い、ビスＢをスタンド固定部３２の貫通穴部３２Ａとスタンド保持部材２９の孔部２９Ａと後側キャビネット２７の張り出し部２７Ｂの孔部２７Ｃに挿通することにより、液晶テレビ本体２へスタンド３が取り付けられる。
【００４１】
液晶テレビ本体２にスタンド３が取り付けられると、図２に示すように、板ばね２９Ｂが付勢力を備えた状態で内側筐体２３に接するようになっている。これにより、スタンド固定部３２と主基板２５とが非常に近い位置に配置されても、ビスＢ等からスタンド固定部３２及びスタンド保持部材２９に伝わる静電気は、板ばね２９Ｂを介して内側筐体２３へ流れることとなり、主基板２５へ静電気が流れることを防ぐようになっている。
【００４２】
以上に説明した、本実施の形態に係る液晶テレビ１によれば、後側キャビネット２７の前側キャビネット２６側の面に取り付けられた金属製のスタンド保持部材２９に金属製のスタンド固定部３２が金属製のビスＢにより固定されるので、液晶テレビ本体２の前後方向の重心位置に近い部分でスタンド３が固定されることとなって、液晶テレビ１の前後方向のバランスが良好になる。また、スタンド保持部材２９及びスタンド固定部３２は金属製であるので、液晶テレビ本体２とスタンド３との連結を強固なものにすることができる。また、スタンド３が後側キャビネット２７の後側に取り付けずに済むので、スタンド３を隠すカバー部材が不要となって、組み立て部材を少なくすることができる。
【００４３】
また、スタンド保持部材２９に備えられた板ばね２９Ｂから液晶テレビ本体２の内側筐体２３へと静電気を流すことができるので、ビスＢからスタンド固定部３２及びスタンド保持部材２９へ流れる静電気を液晶テレビ１の外部へ好適に流すことができることとなって、液晶テレビ１内部の主基板２５等の電子部品への悪影響を好適に回避することができる。
【００４４】
また、板ばね２９Ｂが弾性変形した状態で内側筐体２３に接するので、板ばね２９Ｂを内側筐体２３に固定する特定の固定手段がなくとも、板ばね２９Ｂと内側筐体２３とが確実に接することとなって、液晶テレビ本体２内に組み合わせの差が多少あっても、より簡単、且つ確実に、スタンド保持部材２９に設けられた板ばね２９Ｂから液晶テレビ本体２
に設けられた内側筐体２３へと好適に静電気を流すことができる。
【００４５】
さらに、スタンド保持部材２９は、スタンド固定部３２の固定位置の位置決めを行うストッパ２９Ｃを備えるので、スタンド固定部３２の固定位置を容易に位置決めできることとなって、液晶テレビ本体２へのスタンド３の取り付けを容易にすることができる。
【００４６】
本実施形態においては、電子機器として、液晶テレビ１を例示したが、スタンド型の電子機器であればよく、例えば、プラズマテレビやパーソナルコンピュータなどにも好適に適用することができる。
【００４７】
また、アース部として、板ばね２９Ｂと内側筐体２３とを備える構造としたが、ビスＢからスタンド固定部３２及びスタンド保持部材２９へ流れる静電気を液晶テレビ１の外部へ流せる構造であれば、どのような構造であってもよい。
【図面の簡単な説明】
【００４８】
【図１】本考案に係る液晶テレビの正面図である。
【図２】図１のＩＩ−ＩＩ断面図である。
【図３】本考案に係るスタンド保持部材の背面から見た平面図（ａ）、及び図３（ａ）のｂ−ｂ断面図（ｂ）である。
【図４】本考案に係るスタンドを後側キャビネットに取り付ける組み立て工程を説明するための説明図である。
【符号の説明】
【００４９】
１  液晶テレビ（電子機器）
２  液晶テレビ本体（機器本体）
２３  内側筐体（アース部、接地部材）
２５  主基板（電子部品）
２６  前側キャビネット
２７  後側キャビネット
２８  キャビネット
２９  スタンド保持部材
２９Ｂ  板ばね（アース部、バネ部材）
２９Ｃ  ストッパ（位置決めストッパ）
３  スタンド
３２  スタンド固定部
Ｂ  ビス（金属製の固定部材）
【図１】
0003108640.tif 000003
【図２】
0003108640.tif 000004
【図３】
0003108640.tif 000005
【図４】
0003108640.tif 000006